(57)【要約】  【課題】延長床版の設計に際して、橋梁端部のキックアップによる延長床版の土工部側先端の浮き上がりを抑止する。  【解決手段】延長床版２１と橋梁部１０との間が結合状態と想定し、活荷重等による橋梁部１０のキックアップを考慮して延長床版２１の土工部側先端の浮き上がり量δ1を求め、延長床版の自重によるたわみ量δ2が前記キックアップによる浮き上がり量δ1を打ち消すように、前記延長床版の全長Ｌを決定する。【選択図】図６
2006307474.tif 000002
【特許請求の範囲】
【請求項１】
土工部側に配置された底版の上に橋梁端部から土工部側へ延設されて土工部側先端に伸縮装置を設けた延長床版であって、
該延長床版と前記橋梁端部との間が結合状態と想定し、活荷重等による橋梁端部のキックアップを考慮して延長床版の土工部側先端の浮き上がり量δ1を求め、延長床版の自重によるたわみ量δ2が前記キックアップによる浮き上がり量δ1を打ち消すように、前記延長床版の全長Ｌを決定することを特徴とする延長床版の設計方法。
【請求項２】
上記キックアップによる延長床版先端の浮き上がり量δ1は、橋梁端部の浮き上がり角θと延長床版の全長Ｌから算出し、延長床版の自重によるたわみ量δ2は、延長床版が橋梁端部を固定端とする片持ち梁として算出し、前記浮き上がり量δ1よりも前記たわみ量δ2が大となるように延長床版の全長Ｌを決定する請求項１記載の延長床版の設計方法。
【発明の詳細な説明】
【技術分野】
【０００１】
本発明は延長床版の設計方法に関するものであり、特に、橋梁端部のキックアップを考慮して延長床版の土工部側先端の浮き上がりを抑止するように全長を決定する延長床版の設計方法に関するものである。
【背景技術】
【０００２】
従来、橋桁の温度変化による伸縮を吸収するために、橋桁と橋台との間に伸縮装置を設けている。伸縮装置が橋桁と橋台との隙間にあるため、車両が通過する際にショックが発生して乗員に不快感を与えるとともに、騒音及び振動の発生による環境悪化が問題となる。
【０００３】
この不具合を解消するために、本願出願人は、土工部側にプレキャストコンクリート製の底版を配置し、該底版の一端部を橋台に受けさせるとともに、該底版の上に橋梁側から土工部側へ延設されるプレキャストコンクリート製の延長床版を配置し、土工部側先端に伸縮装置を設けた工法を提案している（例えば、特許文献１参照）。
【特許文献１】特開２００４−０８４２８０号公報
【発明の開示】
【発明が解決しようとする課題】
【０００４】
特許文献１記載の発明は、橋梁床版を延長して伸縮装置を土工部側へ移設したことにより、通過車両からの衝撃が緩和されて振動や騒音の発生を低減することができる。橋梁端部と延長床版との間には、路長方向と路幅方向とへ鉄筋を縦横に配筋し、場所打ちコンクリートを打設して双方を接合することにより、温度変化による橋梁側の伸縮を確実に延長床版へ伝達させている。
【０００５】
ここで、橋梁には通過車両の重さによる活荷重が働き、この活荷重により橋梁にたわみが生じて橋梁端部が跳ね上がろうとする作用、いわゆるキックアップが起きる。活荷重だけではなく、橋梁が乾燥により収縮した場合でもキックアップが発生し、また、年月が経過すると橋梁の自重でクリープが起きてキックアップが発生する場合もある。
【０００６】
橋梁端部と延長床版との接合部に鉄筋を配筋した結合状態と想定すれば、このキックアップにより延長床版が浮き上がると、延長床版の土工部側先端に設けた伸縮装置も浮き上がるため、伸縮装置に段差が生じて、車両通過の際に振動及び騒音が発生する原因となる。
【０００７】
また、延長床版が浮き上がった状態であると、車両荷重の移動により延長床版と底版との間にいわゆるたたき現象が発生し、延長床版の途中に設けられている継手が破壊されるだけではなく、延長床版自体の破壊を招く虞もある。これらの不具合を防止すべく延長床版の断面形状や鉄筋量を増大して設計すれば、コストアップの大きな要因となる。
【０００８】
そこで、延長床版の設計に際して、橋梁端部のキックアップによる延長床版の土工部側先端の浮き上がりを抑止するために解決すべき技術的課題が生じてくるのであり、本発明はこの課題を解決することを目的とする。
【課題を解決するための手段】
【０００９】
本発明は上記目的を達成するために提案されたものであり、土工部側に配置された底版の上に橋梁端部から土工部側へ延設されて土工部側先端に伸縮装置を設けた延長床版であ
って、該延長床版と前記橋梁端部との間が結合状態と想定し、活荷重等による橋梁端部のキックアップを考慮して延長床版の土工部側先端の浮き上がり量δ1を求め、延長床版の自重によるたわみ量δ2が前記キックアップによる浮き上がり量δ1を打ち消すように、前記延長床版の全長Ｌを決定することを特徴とする延長床版の設計方法を提供する。
【００１０】
また、上記キックアップによる延長床版先端の浮き上がり量δ1は、橋梁端部の浮き上がり角θと延長床版の全長Ｌから算出し、延長床版の自重によるたわみ量δ2は、延長床版が橋梁端部を固定端とする片持ち梁として算出し、前記浮き上がり量δ1よりも前記たわみ量δ2が大となるように延長床版の全長Ｌを決定する請求項１記載の延長床版の設計方法を提供する。
【００１１】
上記構成によれば、橋梁にかかる活荷重等によりキックアップが発生するときに、延長床版の自重によるたわみで延長床版先端の浮き上がりを打ち消すように、延長床版の全長を決定する。
【発明の効果】
【００１２】
本発明は、延長床版を最適な長さに設計することにより、活荷重等で橋梁にキックアップが生じても延長床版の土工部側先端の浮き上がりを抑止するので、延長床版の土工部側先端に設けられている伸縮装置に段差が発生せず、車両通過時に発生する振動及び騒音を減少できる。また、延長床版の断面形状や鉄筋量を増大することなく、延長床版と底版との間のたたき現象を未然に防止でき、延長床版の途中に設けられている継手の寿命並びに延長床版自体の寿命を永く保持することができる。
【発明を実施するための最良の形態】
【００１３】
以下、本発明に係る延長床版の設計方法について、好適な実施例をあげて説明する。延長床版の設計に際して、橋梁端部のキックアップによる延長床版の土工部側先端の浮き上がりを抑止するという目的を、活荷重等による橋梁端部のキックアップを考慮して延長床版の土工部側先端の浮き上がり量を求め、延長床版の自重によるたわみ量が前記キックアップによる浮き上がり量を打ち消すように、前記延長床版の全長を決定ことで実現した。
【実施例１】
【００１４】
図１は橋梁部付近に施工された延長床版の断面図であり、橋梁部１０を形成している橋桁１１は支承１２を介して橋台１３に載置され、橋桁１１の上に橋梁床版１４が配置されている。土工部１５は締め固めた盛土１６の上に底版１７を配置し、該底版１７の一端部を橋台１３の上面まで延設して緩衝ゴム１８を介してアンカーボルト１９にて固定する。該底版１７には所々にグラウト注入孔２０が設けられ、ジャッキなどによって底版１７の高さ調整を行った後に、このグラウト注入孔２０からグラウト材を注入して盛土１６との隙間へ充填する。
【００１５】
底版１７の上には延長床版２１が配置され、該延長床版２１の橋梁部１０側の一端部は緩衝ゴム２２を介して前記橋梁床版１４の上面に載置されている。そして、該延長床版２１の一端部に埋設されているヒンジ構造（本実施例ではメナーゼヒンジ）２３の突出部分に場所打ちコンクリート２４を打設して、延長床版２１と橋梁床版１４とが一体的に接合される。該延長床版２１の他端部はコッター式継手２６を介して着脱式床版２７の一端部に接合されている。該着脱式床版２７には伸縮装置２８が設けられ、該着脱式床版２７の他端部側はアンカーボルト２９で前記底版１７に固定されている。そして、前記延長床版２１の上面には橋梁部１０から連続的に舗装面３０が施工されている。
【００１６】
前記底板１７及び延長床版２１は、それぞれ複数のプレキャスト鉄筋コンクリート版を接続してなり、底板１７と延長床版２１との接触面は極めて平滑に形成されている。橋梁
部１０側の温度変化で橋桁１１が伸び縮みしたときは、橋梁床版１４に接合された延長床版２１が橋梁床版１４に押し引きされて底版１７の上面を滑動し、橋桁１１の伸び縮みが前記伸縮装置２８にて吸収される。
【００１７】
次に、前記延長床版２１の設計方法について説明する。図２は延長床版の設計方法のフローチャートであり、先ず準備作業として設計条件を整理し、キックアップ量による延長床版の長さを決定する。
【００１８】
底版の検討に関しては、先ず踏掛版として或いは滑面形成を目的とした版としての検討により、底版の厚さ、基本配筋を決定する。構造部材としての検討は、壁高欄車両衝突時の検討及びコッター配置間隔を検討する。プレキャスト製コンクリート版吊込時等施工時の検討としては、リフトアップ時の検討を行う。そして、底版固定用アンカーを検討する。
【００１９】
延長床版、着脱式床版の検討に関しては、本発明では延長床版の設計を橋梁床版ではなくコンクリート舗装版として検討して基本配筋を決定する。構造部材としての検討としては、遊間部での応力検討及び壁高欄車両衝突時の検討、コッター配置間隔を検討する。そして、底版と同様にプレキャスト製コンクリート版吊込時等施工時の検討を行う。着脱式床版の固定側アンカーボルトの検討としては、アンカーボルト及びインサートの検討を行う。
【００２０】
橋梁接合部の検討に関しては、ヒンジ構造の一例としてメナーゼヒンジを使用するものとし、遊間の検討、メナーゼヒンジの検討、地震時の検討などが必要である。
§１設計条件
（１）設計方法
道路橋示方書に準拠し、ＲＣ解析の許容応力度設計法により設計を行う。
（２）使用材料
使用材料の一例を表１に示す。
【００２１】
【表１】
2006307474.tif 000003
【００２２】
（３）諸物理定数
鉄筋コンクリートの諸物理定数の一例を表２に示す。
【００２３】
【表２】
2006307474.tif 000004
【００２４】
鉄筋のヤング係数は、Ｅs＝2.0×105(N/mm2)
コッター式継手（Ｈ型金物）のヤング係数は、Ｅco＝1.7×105 (N/mm2)
（４）荷重条件
4.1活荷重
活荷重は、Ｂ活荷重（Ｔ−２５）とする。図３（ａ）は図中左右方向に橋軸方向を示し、図３（ｂ）は図中左右方向に橋軸直角方向を示す。
【００２５】
4.2死荷重
死荷重は、鉄筋コンクリートγcとアスファルト舗装γaの荷重値の一例を表３に示す。
【００２６】
【表３】
2006307474.tif 000005
【００２７】
（５）許容応力度
各使用材料の許容応力度の一例を表４に示す。
【００２８】
【表４】
2006307474.tif 000006
【００２９】
許容応力度の割増し係数の一例を表５に示す。
【００３０】
【表５】
2006307474.tif 000007
【００３１】
（６）前提条件
当該延長床版は、発注者の意向及び橋梁の諸条件により、以下のような前提で設計を行うものとする。
「延長床版長」
橋梁端部に設置される伸縮装置が、土工部側へ移動した距離をさす。
「キックアップ量」
橋梁端部において、活荷重等によるたわみによって発生する橋梁端部の回転による跳ね上がり量（浮き上がり量）をさす。本発明では、最大値で+0.002radをもって検討する。
「橋梁移動量」
橋梁移動量は、橋梁温度伸縮及び地震動レベル１時の移動量によって決定され、その値の中で一番大きな数値から伸縮装置を決定する。
【００３２】
橋梁の伸縮量の値の一例を表６に示す。
【００３３】
【表６】
2006307474.tif 000008
【００３４】
上記値により、延長床版に設置する伸縮装置は、橋軸方向±100.6mmの伸縮量に対応する伸縮装置とする。
「地震力」
地震時、橋梁と延長床版では異なる動き方をすると考えられ。延長床版が橋梁に無理な負担を強いないために、橋梁と延長床版を接合しているメナーゼヒンジを地震動レベル２時には降伏するように設計する。橋梁の地震時に発生する力の一例を表７に示す。
【００３５】
【表７】
2006307474.tif 000009
【００３６】
（７）構造細目
7.1形状及び部材寸法
プレキャスト製コンクリート版の版厚は下記の条件を満たすものとする。
【００３７】
(1)最小全厚  160mm以上
(2)コッター式継手仕様に伴う必要版厚  200mm以上
上記の条件から、プレキャスト製コンクリート版の版厚を200mm以上とする。延長床版の版厚はt=200mm、底版の版厚は踏掛版の設計により決定する。
【００３８】
7.2最小鉄筋量
部材には、その断面積の0.15%以上の付着力のある鋼材を配置する。
【００３９】
鉄筋コンクリート構造に配置する軸方向引張主鉄筋の断面積は次式により決定する。
【００４０】
Ａst≧0.005ｂw・ｄ
ただし、せん断力が作用する方向の厚さが薄く、斜引張鉄筋を配置することができない部材については次式により決定する。
【００４１】
Ａst≧0.01ｂw・ｄ
ここで、Ａst：軸方向引張主鉄筋の断面積(mm2)
ｂw ：けたのウエブ厚(mm)
ｄ ：有効厚(mm)
7.3最小かぶり
プレキャスト部材と場所打ちコンクリートの最小かぶりの一例を表８に示す。
【００４２】
【表８】
2006307474.tif 000010
【００４３】
7.4鉄筋のあき
鉄筋のあきは下記の条件をすべて満たすものとする。
【００４４】
(1)40mm以上（プレキャスト部材では20mm以上）
(2)粗骨材（20mm）の最大寸法の4/3倍以上
(3)鉄筋の直径の1.5倍以上
7.5鉄筋の継手
引張鉄筋に重ね継手を用いる場合は、次式により算出する重ね継手長Ｌa以上かつ鉄筋の直径の20倍以上重ね合わせるものとする。また、重ね継手は継手に対して直角に配置した２本以上の鉄筋で補強するものとする。なお、引張鉄筋に機械式継手を用いる場合は、鉄筋の種類、直径、応力状態、継手位置等を考慮して、継手部の強度を定めるものとする。
【００４５】
Ｌa＝(σsa・φ)/(4τ0a)
ここで、Ｌa ：付着応力度より算出する重ね継手長(mm)
σsa：鉄筋の許容引張応力度(N/mm2)
φ ：鉄筋の直径(mm)
τ0a：コンクリートの許容付着応力度(N/mm2)
なお、継手が同一断面に集中する場合は、「鉄筋継手指針（コンクリートライブラリー第49号）」（土木学会）Ｉ．9条(2)を参照するものとする。
【００４６】
7.6主鉄筋の配置
主鉄筋は、直径13mm以上の鉄筋とする。
【００４７】
主鉄筋は、２段以下に配置する。
【００４８】
7.7用心鉄筋の配置
コンクリートの乾燥収縮、温度勾配、応力集中等により生じる可能性のあるひび割れを有害でない程度に抑えるように鉄筋を配置するものとする。
【００４９】
用心鉄筋は、直径13mm以上とし、300mm以下の間隔で配置する。
【００５０】
打継目付近には、新旧コンクリート間の温度差、乾燥収縮等により生じる引張応力に対して用心鉄筋を配置する。
§２延長床版の全長の確認
前述したように、橋梁には通過車両の重さによる活荷重等が働き、この活荷重等により橋梁にたわみが生じて橋梁端部が跳ね上がろうとする作用、いわゆるキックアップが起きる。このキックアップにより延長床版が浮き上がると、延長床版の土工部側先端に設けた伸縮装置も浮き上がるため、伸縮装置に段差が生じて、車両通過の際に振動及び騒音が発生する原因となる。
【００５１】
キックアップ量は橋梁端部における最大回転角θで表し、これは橋梁の種類や全長、支承条件、橋梁の断面形状など種々の条件により異なり、橋梁の計算書により、コンクリート橋では最大で1/300rad、メタル橋では最大で1/150radとする。本実施の形態ではキックアップ量を、例えば次のように定める。
【００５２】
θ＝2.0mrad(ミリラジアン)  …（１式）
図４は橋台１３付近の断面図であり、橋梁部１０に荷重が載荷されていない状態では、二点鎖線で示すように、橋桁１１と橋梁床版１４並びに延長床版２１は水平状態を保持している。そして、橋梁部１０に通過車両の重さによる活荷重等が働くと、同図の実線で示すように、橋梁部１０にたわみが生じてキックアップが起きる。
【００５３】
橋梁床版１４の端部と延長床版２１との接合部が鉄筋を配筋した結合状態であるので、橋梁部１０のキックアップにより、延長床版２１が橋桁１１及び橋梁床版１４と一体に浮き上がり、延長床版２１の土工部側先端の浮き上がり量を次のように求める。
（１）キックアップによる浮き上がり量δ1
図５に示すように、延長床版の全長をＬ、キックアップ量をθとすれば、キックアップによる延長床版の土工部側先端の浮き上がり量δ1は、次式で求められる。
【００５４】
δ1＝Ｌ×tanθ  …（２式）
いま、延長床版の全長を例えば、Ｌ＝3.746 mとすれば、（１式）を代入して、
δ1＝3.746(m)×103×tan0.002(rad) 
∴δ1＝7.4920(mm)  …（３式）
（２）延長床版と舗装の自重によるたわみ量δ2
図６に示すように、延長床版２１の自重により、たわみが生じて先端が土工部側の底版１７に当接すれば、延長床版２１の浮き上がりが解消される。すなわち、延長床版の自重によるたわみ量δ2が前記キックアップによる浮き上がり量δ1を打ち消すように、延長床版２１の全長Ｌを検討する。
【００５５】
いま、延長床版の各条件を例えば次のように想定する。
【００５６】
2.1延長床版：
版厚ｔｃ＝          200  mm
コンクリート強度δck＝           50  N/mm2
ヤング係数Ｅｃ＝        33000  N/mm2
断面二次モーメントＩｃ＝  666666666.7  mm4
コンクリートの体積重量γｃ＝         24.5  kN/m3
2.2アスファルト舗装：
版厚ｔa ＝           80  mm
アスファルトの体積重量γa ＝         22.5  kN/m3
ここで、図７に示すように、延長床版が橋梁を固定端とする片持ち梁と考え、次式から自重によるたわみ量δ2を算出する。
【００５７】
δ2＝(γｃ・ｔｃ＋γa・ｔa)Ｌ4 / 8×Ｅｃ・Ｉｃ
＝（24.5×10-3×200＋22.5×10-3×80）/ (8×33000×666666666.7)
従って、
∴δ2＝7.4961(mm)  …（４式）
2.3判定
（３式）で示す浮き上がり量δ1と（４式）で示すたわみ量δ2とを比較して、
δ1  ＜  δ2 
となっているので、延長床版２１の全長は、Ｌ＝3.746 m以上あればよい。ただし、図１に示した、コッター式継手２６及び継手の目地には干渉しない長さとするため、同図に示すように、橋桁１１の端部からコッター式継手２６の一端部までの長さＬを3746mm、継手根入長300mm、目地長7mm、着脱式床版可動側長850mmであれば、橋桁１１の端部から伸縮装置２８の一端部までの長さＬLは、
ＬL＝3746(mm)＋300(mm)＋(7mm)＋850(mm)
＝4903(mm)
≒5.000(m)
このように、キックアップによる延長床版２１の浮き上がり量δ1よりも、延長床版２１の自重によるたわみ量δ2が大きくなるように、延長床版２１の全長Ｌを設計することで、延長床版２１の断面形状や鉄筋量を増大することなく、伸縮装置２８に段差が発生するのを防止できる。
【００５８】
なお、本実施例で表した各数値は一例であり、本発明の精神を逸脱しない限り、該数値を改変して他の数値を使用することもでき、そして、本発明がこの改変されたものに及ぶことは当然である。
【図面の簡単な説明】
【００５９】
【図１】橋梁部付近に施工された延長床版の断面図。
【図２】延長床版の設計方法のフローチャート。
【図３】活荷重を説明する図で、（ａ）は図中左右方向に橋軸方向を示し（ｂ）図中左右方向に橋軸直角方向を示す図。
【図４】橋梁のキックアップを説明する橋台付近の断面図。
【図５】延長床版の浮き上がり量を求める解説図。
【図６】延長床版の自重によるたわみを説明する橋台付近の断面図。
【図７】延長床版のたわみ量を求める解説図。
【符号の説明】
【００６０】
１０  橋梁部
１１  橋桁
１２  支承
１３  橋台
１４  橋梁床版
１５  土工部
１６  盛土
１７  底版
１８  緩衝ゴム
１９  アンカーボルト
２０  グラウト注入孔
２１  延長床版
２２  緩衝ゴム
２３  メナーゼヒンジ（ヒンジ構造）
２４  場所打ちコンクリート
２６  コッター式継手
２７  着脱式床版
２８  伸縮装置
２９  アンカーボルト
３０  舗装面
【図１】
2006307474.tif 000011
【図２】
2006307474.tif 000012
【図３】
2006307474.tif 000013
【図４】
2006307474.tif 000014
【図５】
2006307474.tif 000015
【図６】
2006307474.tif 000016
【図７】
2006307474.tif 000017